【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
少なくとも１個のＬＥＤ；および
前記少なくとも１個のＬＥＤに結合され、標準ＡＣ線間電圧とは異なる信号を提供する交流（ＡＣ）電源からの電力関連信号を受信するよう構成され、さらに、前記少なくとも１個のＬＥＤに対し、前記電力関連信号に基づいて電力を供給するよう構成された、少なくとも１個のコントローラ；
を含む、照明装置。
【請求項２】
ＡＣ電源が、（ＡＣ）調光回路である、請求項１に記載の装置。
【請求項３】
ＡＣ調光回路がユーザーインターフェイスにより制御されて電力関連信号を変化させ、ここで少なくとも１個のコントローラが、少なくとも１個のＬＥＤに対して、ユーザーインターフェイスの主要な動作範囲において本質的に不変の電力を供給するよう構成された、請求項１または２に記載の装置。
【請求項４】
ユーザーインターフェイスの動作が、電力関連信号のデューティサイクルを変化させ、ここで少なくとも１個のコントローラが、少なくとも１個のＬＥＤに対して、電力関連信号のデューティサイクルの変動にも関わらず、ユーザーインターフェイスの主要な動作範囲において本質的に不変の電力を供給するよう構成された、請求項１〜３のいずれかに記載の装置。
【請求項５】
少なくとも１個のコントローラが、
電力関連信号を受信し、整流した電力関連信号を供給するための整流器；
前記整流した電力関連信号をフィルターするためのローパスフィルタ；および
前記整流しフィルターされた電力関連信号に基づき、本質的に不変の電力を供給するためのＤＣ変換器；
を含む、請求項１〜４に記載の装置。
【請求項６】
ＡＣ調光回路がユーザーインターフェイスにより制御されて電力関連信号を変化させ、ここで少なくとも１個のコントローラが、少なくとも１個のＬＥＤが生成する光の少なくとも１個のパラメータを、ユーザーインターフェイスの動作に応答して可変制御するよう構成された、請求項２に記載の装置。
【請求項７】
少なくとも１個のコントローラが、
少なくとも１個の光のパラメータを、変化する電力関連信号に基づき可変制御するための調節回路；および
少なくとも１個のＬＥＤに対し、変化する電力関連信号に基づき、少なくとも電力を供給するための電力回路；
を含む、請求項６に記載の装置。
【請求項８】
電力回路が、
電力関連信号を受信し、整流した電力関連信号を供給するための整流器；
該整流した電力関連信号をフィルターするためのローパスフィルタ；および
該整流しフィルターした電力関連信号に基づき、少なくとも１個のＬＥＤに電力を供給するためのＤＣ変換器；
を含む、請求項７に記載の装置。
【請求項９】
調節回路が、ＤＣ変換器に結合され、整流しフィルターした電力関連信号に基づき、少なくとも１個のＬＥＤを可変制御するよう構成された、請求項７に記載の装置。
【請求項１０】
調節回路が少なくとも１個のプロセッサを含み、該プロセッサは、電力関連信号、整流した電力関連信号、および整流しフィルターした電力関連信号のうち少なくとも１つを監視するよう構成され、それによって少なくとも１個のＬＥＤを可変制御する、請求項７〜９のいずれかに記載の装置。
【請求項１１】
電力回路が、変化する電力関連信号に基づき、少なくとも１個のＬＥＤに少なくとも電力を、および少なくとも１個のプロセッサに電力を供給するよう構成された、請求項７〜１０のいずれかに記載の装置。
【請求項１２】
少なくとも１個のプロセッサが、変化する電力関連信号をサンプルし、変化する電力関連信号の変化する特性の少なくとも１つを決定するよう構成された、請求項１０または１１に記載の装置。
【請求項１３】
ユーザーインターフェイスの動作が電力関連信号のデューティサイクルを変化させ、少なくとも１個のプロセッサが、光の少なくとも１個のパラメータを、少なくとも電力関連信号の変化するデューティサイクルに基づき可変制御するよう構成された、請求項１０または１１に記載の装置。
【請求項１４】
少なくとも１個のＬＥＤが、本質的に白色光を生成するように構成された、請求項１３に記載の装置。
【請求項１５】
ユーザーインターフェイスの動作が、電力関連信号のデューティサイクルを変化させ、ここで少なくとも１個のコントローラが、光の少なくとも１個のパラメータを、電力関連信号のデューティサイクルに少なくとも基づき可変制御するよう構成された、請求項６に記載の装置。
【請求項１６】
少なくとも１個のパラメータが、光の強度、光の色、光の色温度、および光の時間的特性のうちの少なくとも１つを含む、請求項１５に記載の装置。
【請求項１７】
少なくとも１個のコントローラが、少なくとも１個のＬＥＤが生成する光の少なくとも２個の異なるパラメータを、ユーザーインターフェイスの動作に応答して可変制御するよう構成された、請求項１５または１６に記載の装置。
【請求項１８】
少なくとも１個のコントローラが、光の少なくとも強度および色を同時に、ユーザーインターフェイスの動作に応答して可変制御するよう構成された、請求項１５または１６に記載の装置。
【請求項１９】
調節回路が駆動回路を含み、該駆動回路は、少なくとも１個の電圧／電流変換器を含み、少なくとも１つの駆動電流を少なくとも１個のＬＥＤに対して提供し、それにより、生成された光の少なくとも１個のパラメータを制御する、請求項７に記載の装置。
【請求項２０】
少なくとも１個の電圧／電流変換器がオペアンプを含み、該オペアンプは、少なくとも１個の電圧／電流変換器に印加された電圧が本質的にゼロの場合、動作中にその非反転入力と反転入力との間に所定の誤差電圧を印加して、前記少なくとも１個の電圧／電流変換器の電流出力を本質的にゼロに減少させるよう構成されている、請求項１９に記載の装置。
【請求項２１】
照明装置であって、
本質的に白色光を生成するよう適合された少なくとも１個のＬＥＤ；および
前記少なくとも１個のＬＥＤに結合され、交流（ＡＣ）調光回路からの電力関連信号を受信して、該電力関連信号に基づき前記少なくとも１個のＬＥＤに電力を供給するよう構成された、少なくとも１個のコントローラ；
を含み、ここで、
前記ＡＣ調光回路は、ユーザーインターフェイスにより制御されて電力関連信号を変化させ；および
前記少なくとも１個のコントローラは、本質的に白色光の少なくとも１個のパラメータを、ユーザーインターフェイスの動作に応答して可変制御することにより、白熱光源の発光特性を近似するよう構成されている、
前記装置。
【請求項２２】
機械的および電気的に従来の白熱光ソケットに係合することにより、装置をＡＣ調光回路に結合するよう構成されたスクリュー式電源コネクタ、
をさらに含む、請求項１〜２１のいずれかに記載の装置。
【請求項２３】
スクリュー式電源コネクタに結合し、少なくとも１個のＬＥＤおよび少なくとも１個のコントローラを包含する、構造的に白熱光電球に似せて構成されたハウジング、
をさらに含む、請求項２２に記載の装置。
【請求項２４】
少なくとも１個のコントローラが、本質的に白色光の少なくとも強度および色温度を同時に、ユーザーインターフェイスの動作に応答して可変制御するよう構成された、請求項１４または２１のいずれかに記載の装置。
【請求項２５】
少なくとも１個のコントローラが、本質的に白色光の色温度を、最小強度における約２０００°Ｋから最大強度における３２００°Ｋまでの範囲にわたって可変制御するよう構成された、請求項２４に記載の装置。
【請求項２６】
少なくとも１個のＬＥＤが、複数個の異なる色のＬＥＤを含む、請求項２５に記載の装置。
【請求項２７】
複数個の異なる色のＬＥＤが、
第１スペクトルを有する少なくとも第１放射線を出力するよう適合された、少なくとも１個の第１ＬＥＤ；
第１スペクトルとは異なる第２スペクトルを有する第２放射線を出力するよう適合された、少なくとも１個の第２ＬＥＤ；
を含み、そして、
少なくとも１個のコントローラが、少なくとも第１放射線の第１強度および第２放射線の第２強度を、ユーザーインターフェイスの動作に応答して、独立して制御するよう構成された、
請求項２６に記載の装置。
【請求項２８】
少なくとも１個のコントローラが、少なくとも第１放射線の第１強度および第２放射線の第２強度を制御するためにパルス幅変調（ＰＷＭ）技法を実装するようプログラムされた、少なくとも１個のプロセッサを含む、請求項２７に記載の装置。
【請求項２９】
マイクロプロセッサがさらに、
少なくとも第１ＰＷＭ信号を生成して第１放射線の第１強度を制御し、第２ＰＷＭ信号を生成して第２放射線の第２強度を制御する；および
第１および第２ＰＷＭ信号それぞれのデューティサイクルを、ユーザーインターフェイスの動作による電力関連信号の変化に少なくとも部分的に基づいて決定する、
ようにプログラムされた、
請求項２８に記載の装置。
【請求項３０】
マイクロプロセッサがさらに、電力関連信号の変化を代表する少なくとも１つの信号を監視するようにプログラムされた、請求項２９に記載の装置。
【請求項３１】
マイクロプロセッサがさらに、電力関連信号の変化を測定するために、電力関連信号を直接サンプルするようにプログラムされた、請求項２９に記載の装置。
【請求項３２】
Ａ）標準ＡＣ線間電圧以外の信号を供給する交流（ＡＣ）電源からの電力関連信号に基づき、少なくとも１個のＬＥＤに電力を供給する行為、
を含む、照明方法。
【請求項３３】
行為Ａ）が、
交流（ＡＣ）調光回路からの電力関連信号に基づき、少なくとも１個のＬＥＤへ電力を供給する行為、
を含む、請求項３２に記載の方法。
【請求項３４】
ＡＣ調光回路がユーザーインターフェイスにより制御されて電力関連信号を変化させ、ここで行為Ａ）が、
Ｂ）本質的に不変の電力を、少なくとも１個のＬＥＤに対し、ユーザーインターフェイスの主要な動作範囲にわたって供給する行為、
を含む、請求項３３に記載の方法。
【請求項３５】
ユーザーインターフェイスの動作が電力関連信号のデューティサイクルを変化させ、また行為Ｂ）が、
前記電力関連信号のデューティサイクルの変化にも関わらず、本質的に不変の電力を、少なくとも１個のＬＥＤに対し、ユーザーインターフェイスの主要な動作範囲にわたって提供する行為、
を含む、請求項３４に記載の方法。
【請求項３６】
行為Ｂ）が、
電力関連信号を整流し、整流した電力関連信号を提供する行為；
該整流した電力関連信号をフィルターする行為；および
該整流しフィルターした電力関連信号に基づき、本質的に不変の電力を提供する行為；
を含む、請求項３４に記載の方法。
【請求項３７】
少なくとも１個のＬＥＤが、複数個の異なる色のＬＥＤを含む、請求項３４に記載の方法。
【請求項３８】
ＡＣ調光回路がユーザーインターフェイスにより制御されて電力関連信号を変化させ、ここで行為Ａ）が、
Ｃ）少なくとも１個のＬＥＤが生成した光の少なくとも１個のパラメータを、ユーザーインターフェイスの動作に応答して、可変制御する行為、
を含む、請求項３３に記載の方法。
【請求項３９】
ユーザーインターフェイスの動作が電力関連信号のデューティサイクルを変化させ、ここで行為Ｃ）が、
Ｄ）光の少なくとも１個のパラメータを、前記電力関連信号の可変デューティサイクルに少なくとも基づき、可変制御する行為、
を含む、請求項３８に記載の方法。
【請求項４０】
行為Ｄ）が、
光の強度、光の色、光の色温度、および光の時間的特性のうちの少なくとも１つを、ユーザーインターフェイスの動作に応答して、可変制御する行為、
を含む、請求項３８に記載の方法。
【請求項４１】
行為Ｄ）が、
Ｅ）少なくとも１個のＬＥＤが生成した光の少なくとも２個の異なるパラメータを、ユーザーインターフェイスの動作に応答して、可変制御する行為、
を含む、請求項３８に記載の方法。
【請求項４２】
行為Ｅ）が、
ユーザーインターフェイスの動作に応答して、光の少なくとも強度および色を同時に可変制御する行為、
を含む、請求項４１に記載の方法。
【請求項４３】
少なくとも１個のＬＥＤが、本質的に白色光を生成するように構成されており、ここで行為Ｅ）が、
Ｆ）ユーザーインターフェイスの動作に応答して、白色光の少なくとも強度および色温度を同時に可変制御する行為、
を含む、請求項４１に記載の方法。
【請求項４４】
行為Ｆ）が、
Ｇ）ユーザーインターフェイスの動作に応答して、本質的に白色光の少なくとも強度および色温度を可変制御することにより、白熱光源の光生成特性を近似する行為、
を含む、請求項４３に記載の方法。
【請求項４５】
行為Ｇ）が、
本質的に白色光の色温度を、最少強度における約２０００°Ｋから最高強度における３２００°Ｋまでの範囲にわたり、可変制御する行為、
を含む、請求項４４に記載の方法。
【請求項４６】
少なくとも１個のＬＥＤが、複数個の異なる色のＬＥＤを含む、請求項４５に記載の方法。
【請求項４７】
行為Ｃ）が、
Ｈ）変化する電力関連信号をデジタル的にサンプルし、該変化する電力関連信号の少なくとも１つの変化する特性を決定する行為、
を含む、請求項３８に記載の方法。
【請求項４８】
ユーザーインターフェイスの動作が電力関連信号のデューティサイクルを変化させ、ここで行為Ｈ）が、
サンプルされた電力関連信号の変化するデューティサイクルに少なくとも基づき、光の少なくとも１個のパラメータを可変制御する行為、
を含む、請求項４７に記載の方法。
【請求項４９】
少なくとも１個のＬＥＤが、
少なくとも、第１スペクトルを有する第１放射線を出力するよう適合された、少なくとも１個の第１ＬＥＤ；および
第１スペクトルとは異なる第２スペクトルを有する第２放射線を出力するよう適合された、少なくとも１個の第２ＬＥＤ；
を含み、そして、行為Ｃ）が、
Ｉ）少なくとも第１放射線の第１強度および第２放射線の第２強度を、ユーザーインターフェイスの動作に応答して、独立して制御する行為、
を含む、請求項３８に記載の方法。
【請求項５０】
行為Ｉ）が、
Ｊ）パルス幅変調（ＰＷＭ）技法を実装し、少なくとも第１放射線の第１強度および第２放射線の第２強度を制御する行為、
を含む、請求項４９に記載の方法。
【請求項５１】
行為Ｊ）が、
少なくとも第１ＰＷＭ信号を生成して第１放射線の第１強度を制御し、第２ＰＷＭ信号を生成して第２放射線の第２強度を制御する行為；および
第１および第２ＰＷＭ信号それぞれのデューティサイクルを、ユーザーインターフェイスの動作による電力関連信号の変化に少なくとも部分的に基づいて決定する行為、
を含む、請求項５０に記載の方法。